【事件の表示】
　特許第６０４０３８８号発明「ネットワークシステムおよび画面共有サーバ」の特許異議申立事件について、次のとおり決定する。
【結　論】
　特許第６０４０３８８号の特許請求の範囲を訂正請求書に添付された訂正特許請求の範囲のとおり、訂正後の請求項〔１−６〕、７、８について訂正することを認める。
　特許第６０４０３８８号の請求項１ないし８に係る特許を維持する。
【理　由】
第１　手続の経緯
　特許第６０４０３８８号の請求項１−８に係る特許についての出願は、平成２８年７月８日（優先権主張平成２７年７月１３日）の出願であって、平成２８年１１月１８日にその特許権の設定登録がされ、その後、その特許に対し、特許異議申立人高橋陽子により特許異議の申立てがされ、平成２９年８月２１日付けで取消理由が通知され、その指定期間内である平成２９年１０月２０日に意見書の提出及び訂正の請求がされ、その訂正の請求に対して特許異議申立人高橋陽子から平成２９年１２月８日付けで意見書が提出されたものである。 
第２　訂正の適否についての判断
１　訂正の内容
　本件訂正請求による訂正の内容は以下の（１）−（３）のとおりである。
（１）　［請求項１−６］からなる一群の請求項に係る訂正
ア　訂正事項１
　特許請求の範囲の請求項１において、訂正前の
「前記第２セッションを張っている前記利用者端末の一覧情報を前記オペレータ端末に対して提示する提示部と、」と記載されているのを、訂正後の
「前記第２セッションを張っている前記利用者端末の一覧情報を
利用者が閲覧中のＵＲＬに応じた
イ　訂正事項２
　特許請求の範囲の請求項２において、訂正前の
「前記第２セッションを張っている前記利用者端末の一覧情報を前記オペレータ端末に対して提示する提示部と、」と記載されているのを、訂正後の
「前記第２セッションを張っている前記利用者端末の一覧情報を
利用者が閲覧中のＵＲＬに応じた
（２）　「請求項７」についての訂正事項３
　特許請求の範囲の請求項７において、訂正前の
「前記第２セッションを張っている前記利用者端末の一覧情報を前記オペレータ端末に対して提示する提示部と、」と記載されているのを、訂正後の
「前記第２セッションを張っている前記利用者端末の一覧情報を
利用者が閲覧中のＵＲＬに応じた
（３）　「請求項８」についての訂正事項４
　特許請求の範囲の請求項８において、訂正前の
「前記第２セッションを張っている前記利用者端末の一覧情報を前記オペレータ端末に対して提示する提示部と、」と記載されているのを、訂正後の
「前記第２セッションを張っている前記利用者端末の一覧情報を
利用者が閲覧中のＵＲＬに応じた
２　訂正の目的の適否、一群の請求項、新規事項の有無、及び特許請求の範囲の拡張・変更の存否
　上記訂正事項１−４に関連する記載として、明細書の発明の詳細な説明には、「第２セッション」について、段落【００９８】に、
「ＳＱ３０６では、
利用者端末１０−１
第２セッション
が張られる
利用者端末１０−１との間のセッションは、
利用者がウェブサーバ４０による企業等のウェブページを閉じるまでの間、または、他のウェブページ
に遷移するまでの間、維持される
と記載されるとともに、オペレータ端末毎に異なる一覧情報を提示する具体例として、段落【０１２０】に、
「また、図１３に示す利用者管理画面では、全ての利用者端末に関する情報が一覧表示されるようにしたが、
オペレータ端末毎に異なる情報を表示する
閲覧中のＵＲＬに応じて、
オペレータ端末５０−１の利用者管理画面に一覧表示し
オペレータ端末５０−２の利用者管理画面に一覧表示する
と記載されていることから、
「前記第２セッションを張っている前記利用者端末の一覧情報を利用者が閲覧中のＵＲＬに応じた前記オペレータ端末に対して提示する提示部」を有する発明は、明細書に記載されているものと認められる。
　よって、訂正事項１の訂正は、明細書に記載された事項の範囲内において、「提示部」の構成を限定したものといえるから、特許特許請求の範囲の減縮を目的とする訂正であって、新規事項の追加に該当せず、また、実質上特許請求の範囲を拡張し、又は変更するものではない。
　訂正事項２−４の各訂正も、訂正事項１と同じく、訂正前の「前記第２セッションを張っている前記利用者端末の一覧情報を前記オペレータ端末に対して提示する提示部と、」との記載を、訂正後の「前記第２セッションを張っている前記利用者端末の一覧情報を
利用者が閲覧中のＵＲＬに応じた
３　小括
　以上のとおりであるから、本件訂正請求による訂正は特許法第１２０条の５第２項第１号に掲げる事項を目的とするものであり、かつ、同条第４項、及び、同条第９項において準用する同法第１２６条第４項から第６項までの規定に適合するので、訂正後の請求項〔１−６〕、７、８について訂正を認める。
第３　特許異議の申立てについて
１　本件発明
　本件訂正請求により訂正された訂正請求項１−８に係る発明（以下「本件発明１」−「本件発明８」という。）は、その特許請求の範囲の請求項１−８に記載された次の事項により特定されるとおりのものである。
「【請求項１】
　画面共有サーバと、ウェブサーバと、オペレータ端末とを有するネットワークシステムにおいて、
　前記ウェブサーバは、
　ウェブページのコンテンツを利用者端末に表示するためのコンテンツデータであって、前記利用者端末に対して所定の動作を実行させるスクリプトを含むコンテンツデータを格納する格納部を有し、
　前記画面共有サーバは、
　前記オペレータ端末との間で非同期型双方向通信である第１セッションを張るとともに、前記利用者端末が前記ウェブサーバの前記コンテンツデータをダウンロードして前記スクリプトを実行した場合には前記利用者端末との間で非同期型双方向通信である第２セッションを張るセッション管理部と、
　前記第２セッションを張っている前記利用者端末の一覧情報を
利用者が閲覧中のＵＲＬに応じた
　前記オペレータ端末において前記一覧情報を参照して所定の利用者端末を選択する操作がオペレータによってなされた場合には、選択された利用者端末の表示部に表示されている前記コンテンツデータに関する表示画面と同じ表示画面を前記オペレータ端末の表示部に表示するとともに、前記画面共有サーバまたは前記利用者端末との間で非同期型双方向通信である第３セッションを張り、前記利用者端末の表示部に表示される前記コンテンツデータに関する表示画面および前記オペレータ端末の表示部に表示される前記コンテンツデータに関する表示画面のいずれか一方に対する操作に関する情報を、前記第３セッションを介して伝送し、他方の表示画面に反映させることで画面を共有する制御を行う制御部と、を有し、
　前記利用者端末が前記スクリプトを実行した場合には、前記利用者端末の前記表示部に対して文字情報による双方向通信を行うための表示画面が表示され、
　前記制御部は、前記第１および前記第２セッションを用いて、前記文字情報による双方向通信を実行するとともに、前記文字情報による双方向通信中に前記利用者または前記オペレータから画面共有の指示がなされたときは、前記利用者端末の前記表示部に表示される前記コンテンツデータに関する表示画面および前記オペレータ端末の前記表示部に表示される前記コンテンツデータに関する表示画面のいずれか一方に対する操作に関する情報を前記第３セッションを介して伝送し、他方の表示画面に反映させることで画面を共有する制御を行う、
　ことを特徴とするネットワークシステム。
　　【請求項２】
　画面共有サーバと、ウェブサーバと、オペレータ端末とを有するネットワークシステムにおいて、
　前記ウェブサーバは、
　ウェブページのコンテンツを利用者端末に表示するためのコンテンツデータであって、前記利用者端末に対して所定の動作を実行させるスクリプトを含むコンテンツデータを格納する格納部を有し、
　前記画面共有サーバは、
　前記オペレータ端末との間で非同期型双方向通信である第１セッションを張るとともに、前記利用者端末が前記ウェブサーバの前記コンテンツデータをダウンロードして前記スクリプトを実行した場合には前記利用者端末との間で非同期型双方向通信である第２セッションを張るセッション管理部と、
　前記第２セッションを張っている前記利用者端末の一覧情報を
利用者が閲覧中のＵＲＬに応じた
　前記オペレータ端末において前記一覧情報を参照して所定の利用者端末を選択する操作がオペレータによってなされた場合には、選択された利用者端末の表示部に表示されている前記コンテンツデータに関する表示画面と同じ表示画面を前記オペレータ端末の表示部に表示するとともに、前記画面共有サーバまたは前記利用者端末との間で非同期型双方向通信である第３セッションを張り、前記利用者端末の表示部に表示される前記コンテンツデータに関する表示画面および前記オペレータ端末の表示部に表示される前記コンテンツデータに関する表示画面のいずれか一方に対する操作に関する情報を、前記第３セッションを介して伝送し、他方の表示画面に反映させることで画面を共有する制御を行う制御部と、を有し、
　前記利用者端末が前記スクリプトを実行した場合には、前記画面共有サーバは、当該利用者端末を識別するための識別情報を付与して利用者端末の前記表示部に対して当該識別情報を表示するとともに、前記オペレータ端末の前記表示部に対して当該識別情報を前記一覧情報に対応付けして表示させ、
　前記制御部は、所定の利用者から前記識別情報の通知を受け、前記一覧情報の前記識別情報を参照して対象となる利用者端末を選択する操作が前記オペレータによってなされた場合には、前記利用者端末の表示部に表示される前記コンテンツデータに関する表示画面および前記オペレータ端末の表示部に表示される前記コンテンツデータに関する表示画面のいずれか一方に対する操作を前記第３セッションを介して伝送し、他方の表示画面に反映させることで画面共有する制御を行う、
　ことを特徴とするネットワークシステム。
　　【請求項３】
　前記識別情報は、７桁以下の数字もしくはアルファベットまたはこれらの組み合わせによって構成されることを特徴とする請求項２に記載のネットワークシステム。
　　【請求項４】
　前記コンテンツデータは、前記オペレータが操作する電話機の電話番号を含むことを特徴とする請求項２または３に記載のネットワークシステム。
　　【請求項５】
　前記電話番号として、前記識別情報毎に異なる番号が割り当てられることを特徴とする請求項４に記載のネットワークシステム。
　　【請求項６】
　複数の前記オペレータ端末を有し、
　前記制御部は、一の前記オペレータ端末と前記利用者端末の間で、前記文字情報による双方向通信が実行された場合、または、画面共有する制御が実行された場合には、他の前記オペレータ端末に表示される一覧情報に対して、その旨を示す情報が表示される、
　ことを特徴とする請求項１乃至５のいずれか１項に記載のネットワークシステム。
　　【請求項７】
　画面共有サーバと、ウェブページのコンテンツを利用者端末に表示するためのコンテンツデータであって、前記利用者端末に対して所定の動作を実行させるスクリプトを含むコンテンツデータを格納する格納部を有するウェブサーバと、オペレータ端末とを有するネットワークシステムの前記画面共有サーバにおいて、
　前記オペレータ端末との間で非同期型双方向通信である第１セッションを張るとともに、前記利用者端末が前記ウェブサーバの前記コンテンツデータをダウンロードして前記スクリプトを実行した場合には前記利用者端末との間で非同期型双方向通信である第２セッションを張るセッション管理部と、
　前記第２セッションを張っている前記利用者端末の一覧情報を
利用者が閲覧中のＵＲＬに応じた
　前記オペレータ端末において前記一覧情報を参照して所定の利用者端末を選択する操作がオペレータによってなされた場合には、選択された利用者端末の表示部に表示されている前記コンテンツデータに関する表示画面と同じ表示画面を前記オペレータ端末の表示部に表示するとともに、前記画面共有サーバまたは前記利用者端末との間で非同期型双方向通信である第３セッションを張り、前記利用者端末の表示部に表示される前記コンテンツデータに関する表示画面および前記オペレータ端末の表示部に表示される前記コンテンツデータに関する表示画面のいずれか一方に対する操作に関する情報を、前記第３セッションを介して伝送し、他方の表示画面に反映させることで画面を共有する制御を行う制御部と、を有し、
　前記利用者端末が前記スクリプトを実行した場合には、前記利用者端末の前記表示部に対して文字情報による双方向通信を行うための表示画面が表示され、
　前記制御部は、前記第１および前記第２セッションを用いて、前記文字情報による双方向通信を実行するとともに、前記文字情報による双方向通信中に前記利用者または前記オペレータから画面共有の指示がなされたときは、前記利用者端末の前記表示部に表示される前記コンテンツデータに関する表示画面および前記オペレータ端末の前記表示部に表示される前記コンテンツデータに関する表示画面のいずれか一方に対する操作に関する情報を前記第３セッションを介して伝送し、他方の表示画面に反映させることで画面を共有する制御を行う、
　ことを特徴とする画面共有サーバ。
　　【請求項８】
　画面共有サーバと、ウェブページのコンテンツを利用者端末に表示するためのコンテンツデータであって、前記利用者端末に対して所定の動作を実行させるスクリプトを含むコンテンツデータを格納する格納部を有するウェブサーバと、オペレータ端末とを有するネットワークシステムの前記画面共有サーバにおいて、
　前記オペレータ端末との間で非同期型双方向通信である第１セッションを張るとともに、前記利用者端末が前記ウェブサーバの前記コンテンツデータをダウンロードして前記スクリプトを実行した場合には前記利用者端末との間で非同期型双方向通信である第２セッションを張るセッション管理部と、
　前記第２セッションを張っている前記利用者端末の一覧情報を
利用者が閲覧中のＵＲＬに応じた
　前記オペレータ端末において前記一覧情報を参照して所定の利用者端末を選択する操作がオペレータによってなされた場合には、選択された利用者端末の表示部に表示されている前記コンテンツデータに関する表示画面と同じ表示画面を前記オペレータ端末の表示部に表示するとともに、前記画面共有サーバまたは前記利用者端末との間で非同期型双方向通信である第３セッションを張り、前記利用者端末の表示部に表示される前記コンテンツデータに関する表示画面および前記オペレータ端末の表示部に表示される前記コンテンツデータに関する表示画面のいずれか一方に対する操作に関する情報を、前記第３セッションを介して伝送し、他方の表示画面に反映させることで画面を共有する制御を行う制御部と、を有し、
　前記利用者端末が前記スクリプトを実行した場合には、前記画面共有サーバは、当該利用者端末を識別するための識別情報を付与して利用者端末の前記表示部に対して当該識別情報を表示するとともに、前記オペレータ端末の前記表示部に対して当該識別情報を前記一覧情報に対応付けして表示させ、
　前記制御部は、所定の利用者から前記識別情報の通知を受け、前記一覧情報の前記識別情報を参照して対象となる利用者端末を選択する操作が前記オペレータによってなされた場合には、前記利用者端末の表示部に表示される前記コンテンツデータに関する表示画面および前記オペレータ端末の表示部に表示される前記コンテンツデータに関する表示画面のいずれか一方に対する操作を前記第３セッションを介して伝送し、他方の表示画面に反映させることで画面共有する制御を行う、
　ことを特徴とする画面共有サーバ。」
２　取消理由の概要
　訂正前の請求項１−８に係る特許に対して平成２９年８月２１日付けで特許権者に通知した取消理由の要旨は、次のとおりである。
　請求項１−８に係る発明は、甲第１−２号証に記載された発明及び技術事項に基づき容易に発明をすることができたものであるから、特許法第２９条第２項の規定により特許を受けることができないものであり、請求項１−８に係る特許は、取り消されるべきものである。
３　各甲号証の記載
（１）　甲第１号証
　甲第１号証（米国特許出願公開２０１５／０１４９５５７号明細書）には、図面とともに、次の記載がある。（下線は、特に着目した箇所を示す。）
ア　［００１２］
「[0012]　Co-browsing sessions may be combined with other forms of interactive information sharing sessions, including screen sharing sessions, to enable an agent to utilize additional forms of communication while interacting with a visitor. A session may also be established during a traditional phone call or third party chat session by verbally exchanging or typing a code that appears when one of the participants clicks an object on the web page.」
（訳：
［００１２］　
エージェントが、ビジターと対話中に、付加的な形態でのコミュニケーションを利用できるように
共通閲覧（co-browsing）セッションを
伝統的な電話呼や、第三者によるチャットセッションの途中で、参加者の一人がウェブページ上のオブジェクトをクリックすると表示されるコードを、口頭でやり取りしたり、タイプ入力することによって
セッションが確立され
イ　［００２１］−［００２５］
「DEFINITIONS
[0021]　Customer: A customer of the co-browsing service who subscribes to the co-browsing service. An example customer is the vendor (e.g. the company that owns vendor website 16) of FIG. 1.
[0022]　Website: The website owned by the customer that is to be supported via co-browse.
[0023]　Group id: A unique id assigned to each customer website that is to be co-browsed.
[0024]　Visitor: Anyone navigating the website.
[0025]　Agent: The representative who supports the visitor in carrying out various tasks on the website, such as completing a purchase.」
（訳：
定義
［００２１］　
顧客
共通閲覧（co-browse）サービスの顧客であって、
例えば、ベンダー（例えば、ベンダー・ウェブサイト１６を所有する会社）であ
［００２２］　ウェブサイト：　顧客が所有している、共通閲覧（co-browse）がサポー卜されるウェブサイトのこと。
［００２３］　
グループＩＤ
共通閲覧（co-browse）が行われる各顧客ウェブサイトごとに割り当てられた、ユニークなＩＤのこと
［００２４］　
ビジター
当該ウェブサイトをナビゲートしている任意の者のこと
［００２５］　
エージェント
ビジターをサポートする担当者のこと
ウ　［００２８］−［００３０］
「[0028]　CServer: A secured server that hosts the co-browse sessions, accepting session updates from the visitor and relaying them to the agent.
[0029]　co-browse webserver: A web server controlling access to co-browse sessions by visitors and agents. The co-browse webserver may be collocated with the Cserver or may be a separate entity on the network.
Co-Browse Overview 
[0030]　FIG. 1 shows a network diagram of a co-browsing scenario in which the content of a visitor's browser 10 is visible in an agent's browser 12. In the embodiment shown in FIG. 1 , the visitor browser obtains a page 14 from a vendor website 16. Arrow 1 shows the download of the web page from the website to the visitor. A co-browse service 18 facilitates the co-browse session by relaying web page updates (arrow 2) from the visitor browser to the agent web browser 12 (arrow 3). To cause the visitor browser 10 to provide these updates, script 20 (JavaScript in one embodiment) is downloaded to the visitor browser either from the vendor website (arrow 4) or from the co-browse service (arrow 5). Alternatively, the JavaScript may be maintained as a plugin in the visitor browser. To enable privacy, as discussed in greater detail below, a list of masked elements 22 is downloaded to the visitor browser. Like the script, the list of masked elements may be downloaded from the vendor website (arrow 6) or may be downloaded from the co-browse service (arrow 7). The list of masked elements instructs the script which elements (e.g. which elements of the DOM) should not be transmitted on the co-browse session. The agent's browser also downloads a page 24 from the co-browse service (arrow 8) in which the view of the visitor's browser contents will be displayed during the co-browse session.」
（訳：
［００２８］　
Ｃサーバ
［００２９］　
共通閲覧ウェブサーバ
ビジターとエージェントによる、共通閲覧セッションへのアクセスを制御するためのウェブサーバ
共通閲覧の概要について
［００３０］　図１は、
ビジター・ブラウザ１０のコンテンツを、エージェント・ブラウザ１２で閲覧できるようにする共通閲覧の
ネットワーク
ビジター・ブラウザは、ベンダー・ウェブサイト１６から、あるページ１４を
ダウンロード
共通閲覧サービス１８は、ビジター・ブラウザからのウェブページ更新
を、エージェント・ウェブブラウザ１２へ中継すること
によって、共通閲覧セッションを支援
ビジター・ブラウザ１０に、これらの更新を提供させるために、スクリプト２０（
JavaScriptである
が、ベンダー・ウェブサイトから
、ビジター・ブラウザへとダウンロードされ
エージェント・ブラウザは、共通閲覧サービスから、ページ２４をダウンロード
このページには、共通閲覧セッションの間、ビジター・ブラウザのコンテンツの表示内容が表示され
エ　［００３２］−［００３３］
「[0032]　The co-browse solution enables the agent to view the web page (vendor website) that a visitor is presently visiting. Since the co-browsing session relies only on JavaScript that is downloaded during the web browsing session, the visitor is not required to manually install any software or plugins or dismiss any security warning dialogs in order for the agent to see the visitor's browser. Likewise, since the JavaScript is part of the web page served from the vendor website, the JavaScript will not carry over to any other web pages, which means that the agent will not be able to see any pages from other websites, or anything else on the visitor's desktop.
[0033]　As described in greater detail below, the co-browse solution enables the agent to see precisely what the visitor is seeing. For example, if the webpage is not entirely visible to the visitor, the agent will only see the portion of the web page that is visible. This view will update automatically as the visitor scrolls or resizes the page. Where the visitor has multiple tabs open, the agent is only able to see the tab that has focus so that the agent views what the visitor is seeing. The agent can also see the position of the visitor's mouse pointer, which allows the agent to understand where the visitor is focused while interacting with the web page. If the agent's browser is the active window on the agent's computer, the agent will also be able to see which input field currently has focus on the visitor side. If the visitor opens a select box, that select box will also open on the agent side.」
（訳：
［００３２］　
共通閲覧ソリューションにより、現在ビジターが訪問中のウェブページ（ベンダー・ウェブサイト）を、エージェントが見ることが可能にな
共通閲覧セッションは、ウェブ閲覧セッションの間にダウンロードされたJavaScriptのみに依存
JavaScriptはベンダー・ウェブサイトから配信されたウェブページの一部
［００３３］　後に詳述するように、
共通閲覧ソリューションは、ビジターが見ている内容を正確に、エージェントが見ることを可能に
例えば、ビジターがウェブページの全てを見られない場合、エージェントはそのウェブページの見ることができる部分だけを見ることにな
この表示は、ビジターがページをスクロールしたりサイズ変更すると、自動的に更新され
エージェントは、ビジターが見ているものだけを見るので、ビジターが複数タブを開くと、エージェントはフォーカスされているタブのみを見ることができ
また、エージェントはビジターのマウスポインタの位置を見ることができ、
エージェントは、現在ビジター側でどの入力フィールドがフォーカスされているかを見ることができ
ビジターが選択ボックスを開けば、エージェント側の選択ボックスも開
オ　［００３５］
「[0035]　Optionally, an agent may be able to provide input to the visitor browser 10. For example, the agent may be able to type information into selected elements on the web page 14 shown on the visitor's browser 10, change the settings of drop down lists, select radio buttons or checkboxes or otherwise interact with input elements on the page. Depending on the implementation an agent may be able to click on buttons or links on behalf of the visitor.」
（訳：
［００３５］　必須ではないが、
エージェントがビジター・ブラウザ１０に入力でき
例えば、エージェントは、ビジター・ブラウザ１０が表示するウェブページ１４上で選択されたエレメントに情報をタイプ入力したり、ドロップダウンリストの設置を変更したり、ラジオボタンやチェックボックスを選択したり、そのページ上の入力エレメントとのその他のやり取りを行
エージェントは、ビジターに代わって、ボタンやリンクをクリックでき
カ　［００３８］
「[0038]　Since the co-browse service described below is based on JavaScript, instead of a platform such as Flash, Java, or SilverLight which is not supported in all web browsers, the co-browse service provides the agent the ability to view the visitor's browser even if the visitor is accessing the site using a mobile device, such as a smartphone or tablet. Likewise, the co-browse solution will also work with PCs/Macs. Likewise, uploading the visitor DOM and state information (vs. just sending the visitor page URL) enables the co-browse session to start at any point while the visitor is accessing the vendor website without requiring the visitor to re-create his/her browser's state. Finally, since the only change to the vendor website is the inclusion of the script, the co-browse service enables agents to provide co-browse based support to visitors with few or no changes to the vendor's website.」
（訳：
［００３８］　全てのウェブブラウザではサポートされていない、Flashや、Java、SilverLight等のプラットフォームの代わりに、後述する共通閲覧サービスでは、
JavaScriptをベースとしている
ため、共通閲覧サービスは、エージェントがスマートフォンやタブレット等のモバイルデバイスでサイトにアクセスしている場合でも、ビジター・ブラウザを見られ
同様に、共通閲覧ソリューションはＰＣやＭａｃでも動作
キ　［００４１］
「[0041]　In some instances, the vendor's web site might already have other existing JavaScript, for example from a chat tool or click-to-call feature. That existing JavaScript could, with the vendor's permission, be used to invoke the cobrowse.js script. The benefit to this approach is that the vendor could pilot or deploy the co-browse solution with no modification at all to the vendor's web site.」
（訳：
［００４１］　いくつかのケースでは、
ベンダー・ウェブサイトは、他の既存のJavaScript、例えば、チャットツール機能やクリックによる電話発呼機能を既に有して
既存のJavaScriptは、cobrowse.jsスクリプトを呼び出すために使用でき
ク　［００５５］
「[0055]　i. Sends all of the above (if changed) to the Co-Browse Service. Data may be sent via an XMLHTTPRequest or XDomainRequest (AJAX), or Websockets, or some other means of cross-domain communication. Data sent in this step may be encoded and/or compressed before it is transmitted. Optionally, if only a portion of the data has changed, the changed portions only may be sent.
Note that (a) through (h) are repeated periodically, because JavaScript running in the visitor's browser may make modifications to the DOM.」
（訳：
［００５５］　i．
共通閲覧サービスへ
データは、
Websocket
を介して送信することができ
　なお、（ａ）〜（ｈ）は定期的に繰り返される。なぜなら、ビジター・ブラウザで動作しているJavaScriptがＤＯＭを変更するかもしれないからである。）
ケ　［０１２５］
「[0125]　The Co-browse Service allows one or more customer service agents to view, in real time, the web browsing activity of visitors to a website. Other uses of the co-browse service may be developed as well, and indeed the co-browse service may be used in any situation where a person would like to view, in real time, the web browsing activity of a visitor to a particular web site. Accordingly, although an example will be provided in which an agent is able to see what the visitor is seeing, the invention is not limited to this particular use.」
（訳：
［０１２５］　
共通閲覧サービスにより、一人またはそれ以上の顧客サービス・エージェントは、ウェブサイトのビジターのウェブブラウズ活動をリアルタイムで閲覧することが可能であ
コ　［０１２８］−［０１３８］
「[0128]　Architectural Overview
[0129]　FIG. 2 shows an example architectural overview of an example co-browse service. The Co-browse service relies on a script tag embedded in the customer website which references a JavaScript file hosted by the co-browse webserver. For the purposes of this document, this visitor side JavaScript file will be referred to as Cobrowse.js. Other names for the JavaScript may be used as well.
[0130]　When a co-browse session starts, Cobrowse.js sends a StartCobrowse request to the co-browse webserver (Arrow 1 in FIG. 2). Cobrowse.js passes the customer group id from the visitor 100 to the co-browse webserver 110, and receives a unique session id, a CServer assignment, and the list of masked fields and hoverable selectors.
[0131]　The session id, in one embodiment, includes three components: 1) the customer group id 2) a session key and 3) a random number for uniqueness. Other parameters may be passed as well depending on the embodiment.
[0132]　Cobrowse.js stores the session id and the set of masked fields in a browser session cookie, and proceeds to start uploading session data to the designated CServer 120 (Arrow 2 in FIG. 2). The CServer in turn posts a message (Arrow 3 in FIG. 2) to the co-browse webserver to record in the database the fact that the session has started.
[0133]　Both group id and session key are required to join a session. Once logged in, the group id can be determined based on the agent's co-browse group membership. For example, the agent will provide support for one or more customer websites. The JavaScript that is downloaded to the visitor when the visitor is at the customer website contains the group id for the customer, which the customer uploads to the co-browse webserver (arrow 1) when the session is started. This enables the co-browse webserver to know which customer is associated with a particular co-browse session. Where the agent is supporting multiple customers, the agent can provide the group ID of the customer to the co-browse server to select co-browse sessions associated with one of the supported customers (arrow 4, FIG. 2).
[0134]　As for the session key, there are several ways it might be specified on the agent side. The session key might be a randomly assigned string, or might be some piece of information associated with the visitor, such as a user id or a tracking cookie id. The agent might enter the session key manually, or it might be extracted automatically for the agent from data in a CRM record. Additional details of example connection scenarios are set forth below.
[0135]　Either way, the result is that the agent opens a browser window to a URL associated with the co-browse session, e.g.:
[0136]　https://www.cobrowse.net/cobrowse/AgentView.aspx?SessionKey=ssnkey
If not logged in, the agent is prompted to log in and is then redirected back to the agent view.
[0137]　AgentView.aspx looks up the session in the database by agent group id and session key, and redirects the agent to the appropriate CServer, which generates the agent view of the session. The agent view includes an embedded JavaScript file, CobrowseViewer.js, which communicates with the CServer via both HTTP and websockets (arrow 5, FIG. 2).
[0138]　The CServer sends only HTML markup for the browsing session to the agent browser. Resources referenced by the session HTML, such as images or style sheets, are downloaded by the agent directly from the customer (or third party) website.」
（訳：
［０１２８］　アーキテクチャの概要について
［０１２９］　図２は、実施例の共通閲覧サービスアーキテクチャの概観を示す。共通閲覧サービスは、共通閲覧ウェブサーバにホスティングされたJavaScriptファイルを参照する、顧客ウェブサイトに埋め込まれたscriptタグに依存している。この文書の目的のために、この
ビジター側JavaScriptファイルを、cobrowse.jsと呼
［０１３０］　共通閲覧セッションが始まると、cobrowse.jsは、共通閲覧ウェブサーバにstartcobrowse要求を送信する（図２、矢印１）。cobrowse.jsは、顧客グループＩＤを、ビジター１００から共通閲覧ウェブサーバ１１０に渡して、そして、ユニークなセッションＩＤと、Ｃサーバの指定、及び、秘匿フィールドとホーバー可能セレクタのリストを受け取る。
［０１３１］　一実施形態において、セッションＩＤは、３つの要素を含む:　１）顧客グループＩＤ、２）セッションキー、３）ユニーク性を確保するための乱数である。他のパラメータを、実施の形態に応じて、渡すことができる。 
［０１３２］　cobrowse.jsは、セッションＩＤと、秘匿フィールドの集合をブラウザ・セッション・クッキー内に記憶し、そして、指定されたＣサーバ１２０へのセッションデータのアップロードの開始（図２、矢印２）へと進む。次に、Ｃサーバは、セッションが開始された事実をデータベースに記録するためのメッセージを、共通閲覧ウェブサーバに通知する。
［０１３３］　グループＩＤとセッションキーの両方が、セッションに参加するために必要とされる。ログインした後で、グループＩＤは、エージェントの共通閲覧グループ・メンバーシップに基づいて決定できる。例えば、エージェントは、１つまたはそれ以上の顧客ウェブサイトに対するサポートを提供するであろう。
ビジターが顧客ウェブサイトにいるときに、ビジターがダウンロードするJavaScriptには、顧客のグループＩＤが含まれており、これを、セッションが開始されるときに、顧客が共通閲覧ウェブサーバにアップロード
これにより、共通閲覧ウェブサーバは、どの顧客が特定の共通閲覧セッションに関連しているかを認識でき
エージェントが、多数の顧客をサポートしている場合、エージェントは、サポートしている顧客のうちの１つに関連付けられた閲覧セッションを選択するために、顧客のグループＩＤを共通閲覧サーバに提供でき
［０１３４］　セッションキーについては、エージェント側で特定するためのいくつかの方法がある。セッションキーは、ランダムに割り当てられた文字列でもよいし、ビジターに関連する所定の情報、例えば、ユーザＩＤや、トラッキング用クッキーＩＤなどであるかもしれない。エージェントは手動でセッションキーを入力することができ、または、顧客関連管理（ＣＲＭ）レコードのデータからエージェントの代わりに自動的に抽出することができる。接続シナリオの実施例のさらなる詳細を以下に記載する。 
［０１３５］　いずれにしても、結果として、エージェントは共通閲覧セッションに関連付けられたＵＲＬについて、ブラウザ・ウィンドウを開く。例えば以下である:
［０１３６］　https://www.cobrowse.net/cobrowse/agentview.aspx?sessionkey=ssnkey
　もしまだログインしていなければ、エージェントはログインするように促され、次いで、エージェントビューに戻るようにリダイレクトされる。 
［０１３７］　agentview.aspxは、エージェントのグループＩＤとセッションキーによってデータベースからセッションを見つけて、エージェントを適切なＣサーバにリダイレクトする。このＣサーバが、セッションのエージェントビューを生成する。
エージェントビューには、JavaScriptファイルであるcobrowseviewer.jsが埋め込まれており、これが、ＨＴＴＰ及びwebsocketの両方を介して、Ｃサーバと通信
［０１３８］　Ｃサーバは、エージェント・ブラウザに対して、ブラウジングセッションに対するＨＴＭＬマークアップのみを送信する。画像やスタイルシートのような、セッションのＨＴＭＬが参照しているリソースは、顧客（又は第３者）のウェブサイトから直接エージェントにダウンロードされる。）
サ　［０１７４］−［０１７５］
「[0174]　FIG. 6 shows the agent screen when an agent joins a co-browsing session through an interface provided by the co-browsing service. As shown in FIG. 6, when the agent would like to join a co-browsing session, the agent will click on an icon on their computer which will show the popup shown in FIG. 6. The agent then types the number provided by the visitor (see FIGS. 3B5) to join the session. As shown in FIG. 6, the popup includes field 600 in which the agent can type the session key to enable the agent to join the co-browse session with the visitor.
[0175]　FIG. 7 shows an alternative to typing the number into a popup. Specifically, in FIG. 7 the co-browse service interface provides a list of co-browse sessions to the agent (to which this agent has access, by virtue of permissions, skill-set or some other criteria) which the agent may join. The agent selects the co-browse session from the list or types the session key or other information into a search field 700 to more quickly locate the correct co-browse session from a set of available co-browse sessions.」
（訳：
［０１７４］　図６は、エージェントが、共通閲覧サービスが提供するインタフェースを介して共通閲覧セッションに加入した場合の、そのエージェントの画面である。図６に示すように、
エージェントは、共通閲覧セッションに加入したいときは、そのエージェントのコンピュータ上のアイコンをクリックして、
ポップアップを表示させ
それから、エージェントは、ビジターから提供された番号
をタイプ入力することで、セッションに加わ
ポップアップは、エージェントがセッションキーを入力できるフィールド６００を含んでおり、これにより、エージェントはビジターとの共通閲覧セッションに加入でき
［０１７５］　図７は、
ポップアップに番号をタイプ入力することに代わる方法
共通閲覧サービスのインタフェースが、エージェントに対して、そのエージェントが接続できる共通閲覧セッション（許可に基づいて、または、知識・経験の集合に基づいて、その他の基準に基づいて、そのエージェントがアクセスできるもの）のリストを提供
エージェントは、このリストから共通閲覧セッションを選択するか、または、共通閲覧セッションの一群から正しい共通閲覧セッションを、より素早く見つけるために、検索フィールド７００に、セッションキーその他の情報をタイプ入力
　上記各記載事項を関連図面に照らし、下線部に着目すれば、甲第１号証には次の発明（以下、「甲１発明」という。）が記載されているといえる。
「エージェントが、ビジターと対話中に、付加的な形態でのコミュニケーションを利用できるように、伝統的な電話呼や、第三者によるチャットセッションの途中で、参加者の一人がウェブページ上のオブジェクトをクリックすると表示されるコードを、口頭でやり取りしたり、タイプ入力することによって、共通閲覧セッションが確立されるシステムであって、
　なお、以下において、
　「顧客」とは、共通閲覧（co-browse）サービスの顧客であって、例えば、ベンダー（例えば、ベンダー・ウェブサイト１６を所有する会社）であり、
　「グループＩＤ」とは、共通閲覧（co-browse）が行われる各顧客ウェブサイトごとに割り当てられた、ユニークなＩＤのことであり、
　「ビジター」とは、当該ウェブサイトをナビゲートしている任意の者のことであり、
　「エージェント」とは、ウェブサイトでの様々な作業、例えば、購入の完了等を行っているビジターをサポートする担当者のことであり、
　ビジター・ブラウザ１０のコンテンツを、エージェント・ブラウザ１２で閲覧できるようにする共通閲覧のネットワークにおいて、ビジター・ブラウザは、ベンダー・ウェブサイト１６から、あるウェブページ１４をダウンロードし、共通閲覧サービス１８は、ビジター・ブラウザからのウェブページ更新を、エージェント・ウェブブラウザ１２へ中継することによって、共通閲覧セッションを支援し、ビジター・ブラウザ１０に、これらの更新を提供させるために、JavaScriptであるスクリプト２０が、ベンダー・ウェブサイトから、ビジター・ブラウザへとダウンロードされ、エージェント・ブラウザは、共通閲覧サービスから、ページ２４をダウンロードし、このページには、共通閲覧セッションの間、ビジター・ブラウザのコンテンツの表示内容が表示され、
　共通閲覧ソリューションにより、現在ビジターが訪問中のウェブページ（ベンダー・ウェブサイト）を、エージェントが見ることが可能になり、
　共通閲覧セッションは、ウェブ閲覧セッションの間にダウンロードされたJavaScriptのみに依存し、
　JavaScriptはベンダー・ウェブサイトから配信されたウェブページの一部であり、
　共通閲覧ソリューションは、ビジターが見ている内容を正確に、エージェントが見ることを可能にし、例えば、ビジターがウェブページの全てを見られない場合、エージェントはそのウェブページの見ることができる部分だけを見ることになり、この表示は、ビジターがページをスクロールしたりサイズ変更すると、自動的に更新され、エージェントは、ビジターが見ているものだけを見るので、ビジターが複数タブを開くと、エージェントはフォーカスされているタブのみを見ることができ、また、エージェントはビジターのマウスポインタの位置を見ることができ、エージェントは、現在ビジター側でどの入力フィールドがフォーカスされているかを見ることができ、ビジターが選択ボックスを開けば、エージェント側の選択ボックスも開き、
　エージェントがビジター・ブラウザ１０に入力でき、例えば、エージェントは、ビジター・ブラウザ１０が表示するウェブページ１４上で選択されたエレメントに情報をタイプ入力したり、ドロップダウンリストの設置を変更したり、ラジオボタンやチェックボックスを選択したり、そのページ上の入力エレメントとのその他のやり取りを行い、エージェントは、ビジターに代わって、ボタンやリンクをクリックでき、
　JavaScriptをベースとしているため、共通閲覧サービスは、エージェントがスマートフォンやタブレット等のモバイルデバイスでサイトにアクセスしている場合でも、ビジター・ブラウザを見られ、同様に、共通閲覧ソリューションはＰＣやＭａｃでも動作し、
　ベンダー・ウェブサイトは、他の既存のJavaScript、例えば、チャットツール機能やクリックによる電話発呼機能を既に有しており、既存のJavaScriptは、cobrowse.jsスクリプトを呼び出すために使用でき、
　共通閲覧サービスへ、データは、websocketを介して送信することができ、
　共通閲覧サービスにより、一人またはそれ以上の顧客サービス・エージェントは、ウェブサイトのビジターのウェブブラウズ活動をリアルタイムで閲覧することが可能であり、
　ビジター側JavaScriptファイルを、cobrowse.jsと呼び、
　ビジターが顧客ウェブサイトにいるときに、ビジターがダウンロードするJavaScriptには、顧客のグループＩＤが含まれており、これを、セッションが開始されるときに、顧客が共通閲覧ウェブサーバにアップロードし、これにより、共通閲覧ウェブサーバは、どの顧客が特定の共通閲覧セッションに関連しているかを認識でき、エージェントが、多数の顧客をサポートしている場合、エージェントは、サポートしている顧客のうちの１つに関連付けられた閲覧セッションを選択するために、顧客のグループＩＤを共通閲覧サーバに提供でき、
　エージェントビューには、JavaScriptファイルであるcobrowseviewer.jsが埋め込まれており、これが、ＨＴＴＰ及びwebsocketの両方を介して、Ｃサーバと通信し、
　エージェントは、共通閲覧セッションに加入したいときは、そのエージェントのコンピュータ上のアイコンをクリックして、ポップアップを表示させ、それから、エージェントは、ビジターから提供された番号をタイプ入力することで、セッションに加わり、ポップアップは、エージェントがセッションキーを入力できるフィールド６００を含んでおり、これにより、エージェントはビジターとの共通閲覧セッションに加入でき、
　ポップアップに番号をタイプ入力することに代わる方法として、共通閲覧サービスのインタフェースが、エージェントに対して、そのエージェントが接続できる共通閲覧セッション（許可に基づいて、または、知識・経験の集合に基づいて、その他の基準に基づいて、そのエージェントがアクセスできるもの）のリストを提供し、エージェントは、このリストから共通閲覧セッションを選択するか、または、共通閲覧セッションの一群から正しい共通閲覧セッションを、より素早く見つけるために、検索フィールド７００に、セッションキーその他の情報をタイプ入力する、
　システム。」
（２）　甲第２号証
　甲第２号証（特開２０１０−１６６３５６号公報。）には、次の記載がある。
ア　段落【００４１】−【００５４】
「【００４１】
  ……（中略）……
「宛先加入者識別番号」には、
第２の加入者端末（電話１’〜ｎ’）の電話番号が記録されている
【００４２】
  ステップＳ６では、同期制御サーバ１０（管理・表示部１１）は、宛先加入者識別番号に空きがあるとき、ステップＳ４で検出した
第２の加入者端末（電話１’〜ｎ’）の電話番号を第１の端末に通知する
【００４３】
  ステップＳ７では、第１の端末が同期制御サーバ１０からの応答を受信して、宛先加入者識別番号に空きがあるとき、第１の端末の表示画面に空いている
宛先加入者識別番号（第２の加入者端末（電話１’〜ｎ’）の電話番号）を表示する
【００４４】
  ステップＳ８では、ステップＳ７で宛先加入者識別番号に空きがあることを知った
利用者は、第１の加入者端末から宛先加入者識別番号宛に連絡をする
  ステップＳ９では、交換機３０を介して
コールセンタサーバ２０に第１の加入者端末からの宛先加入者識別番号が送信される
　　　・・・（中略）・・・
【００５４】
  
同時に複数人から相談電話がかかってきた場合でも、電話をかけた人のパソコンが特定でき
　よって、甲第２号証の上記記載から、コールセンター等の宛先に関して、着信に使用する電話番号を、識別のために互いに異ならせることは、公知技術であると認められる。 
４　判断
（１）　取消理由通知に記載した取消理由（特許法第２９条第２項）について
ア　本件発明１について
　本件発明１と甲１発明とを対比すると、次のことがいえる。
（ア）　甲１発明の「共通閲覧のネットワーク」における「共通閲覧
サービス
サーバ
　甲１発明の「ベンダー・ウェブ
サイト
サーバ
　甲１発明の「エージェント」は、「ウェブサイトでの様々な作業、例えば、購入の完了等を行っているビジターをサポートする担当者のことであ」るから、「オペレータ」であるといえる。よって、甲１発明の「エージェント・（ウェブ）ブラウザ１２」は、「エージェントが
スマートフォンやタブレット等の
デバイス
　したがって、甲１発明の「
共通閲覧サービス１８
ベンダー・ウェブサイト１６
エージェント・ブラウザ１２
ネットワーク
（イ）　甲１発明の「ウェブページ１４」と、「JavaScriptであるスクリプト２０」は、本件発明１の「ウェブページ」と、「スクリプト」に相当する。
　甲１発明の「ビジター」は、「当該ウェブサイトをナビゲートしている任意の者のことであ」るから、「利用者」といえる。また、「ビジター・ブラウザ１０」は、具体化して実装する場合には「ビジター」の「端末」であることが明らかであるから、本件発明１の「利用者端末」に相当する。
　したがって、「
ビジター・ブラウザは
ベンダー・ウェブサイト１６から
ウェブページ１４を
ビジター・ブラウザ１０
スクリプト２０が、ベンダー・ウェブサイトから
ビジター・ブラウザ
Scriptは
ウェブページの一部
（ウ）　甲１発明の、エージェントとビジター間の「チャットセッション」では、リアルタイムにテキストデータ等のやり取りが行われること、すなわち、「非同期型双方向通信である」ことは、明らかである。
　よって、甲１発明のエージェントとビジター間の「チャットセッション」は、本件発明１の画面共有サーバとオペレータ間の「非同期型双方向通信である第１セッション」、画面共有サーバと利用者端末間の「非同期型双方向通信である第２セッション」と、いずれも、「非同期型双方向通信であるセッション」である点で共通するといえる。
　よって、甲１発明の「
エージェントが、ビジターと対話中に
チャットセッション
ベンダー・ウェブサイトは、他の既存のJavaScript、例えば、チャットツール機能
を既に有しており
前記画面共有サーバは、前記オペレータ端末との間で非同期型双方向通信である第１セッションを張るとともに、
前記利用者端末との間で
第２
（エ）　甲１発明の「
共通閲覧サービス
が、エージェントに対して、そのエージェントが接続できる共通閲覧セッション
のリストを提供し
前記第２
利用者が閲覧中のＵＲＬに応じた
（オ）　甲１発明のエージェントとビジター間の「共通閲覧セッション」は、本件発明１の
オペレータ端末と
利用者端末間の
第３
　よって、甲１発明において、「エージェントはビジターとの共通閲覧セッションに加入でき」るために、「ポップアップに番号をタイプ入力することに代わる方法として、共通閲覧サービスのインタフェースが、エージェントに対して、そのエージェントが接続できる共通閲覧セッション（許可に基づいて、または、知識・経験の集合に基づいて、その他の基準に基づいて、そのエージェントがアクセスできるもの）のリストを提供し、エージェントは、このリストから
共通閲覧セッションを選択する
現在ビジターが訪問中のウェブページ（ベンダー・ウェブサイト）を、エージェントが見ることが可能になり
共通閲覧ソリューションは、ビジターが見ている内容を正確に、エージェントが見ることを可能にし
ビジターがページをスクロールしたりサイズ変更すると
ビジターが複数タブを開くと
ビジターのマウスポインタの位置を見ることができ
現在ビジター側でどの入力フィールドがフォーカスされているかを見ることができ
ビジターが選択ボックスを開けば
エージェントがビジター・ブラウザ１０に入力でき
エージェントは、
情報をタイプ入力したり、ドロップダウンリストの設置を変更したり、ラジオボタンやチェックボックスを選択したり
エージェントは、ビジターに代わって、ボタンやリンクをクリックでき
websocket
リアルタイムで閲覧することが可能
websocket
第３
　
（カ）　甲１発明の「
ベンダー・ウェブサイトは
Script、例えば、チャットツール機能
を既に有しており
既存の
Scriptは、cobrowse.jsスクリプトを呼び出すために使用でき
（キ）　上記（ア）−（カ）の検討事項を参照すると、甲１発明において、「
エージェントが、ビジターと対話中に
チャットセッションの途中で
共通閲覧セッションが確立され
第１および前記第２
記セ
　甲１発明の「共通閲覧の
ネットワーク
　したがって、本件発明１と甲１発明との一致点・相違点は次のとおりである。
　
＜一致点＞
「画面共有サーバと、ウェブサーバと、オペレータ端末とを有するネットワークシステムにおいて、
　前記ウェブサーバは、
　ウェブページのコンテンツを利用者端末に表示するためのコンテンツデータであって、前記利用者端末に対して所定の動作を実行させるスクリプトを含むコンテンツデータを格納する格納部を有し、
　前記利用者端末が前記ウェブサーバの前記コンテンツデータをダウンロードして前記スクリプトを実行した場合には前記利用者端末との間で非同期型双方向通信であ
るセ
り、
　
前記画面共有サーバは、
　
を前
　前記オペレータ端末において前記一覧情報を参照して所定の利用者端末を選択する操作がオペレータによってなされた場合には、選択された利用者端末の表示部に表示されている前記コンテンツデータに関する表示画面と同じ表示画面を前記オペレータ端末の表示部に表示するとともに、前記画面共有サーバまたは前記利用者端末との間で非同期型双方向通信である第３セッションを張り、前記利用者端末の表示部に表示される前記コンテンツデータに関する表示画面および前記オペレータ端末の表示部に表示される前記コンテンツデータに関する表示画面のいずれか一方に対する操作に関する情報を、前記第３セッションを介して伝送し、他方の表示画面に反映させることで画面を共有する制御を行う制御部と、を有し、
　前記利用者端末が前記スクリプトを実行した場合には、前記利用者端末の前記表示部に対して文字情報による双方向通信を行うための表示画面が表示され、
　前記制御部は、前
記セ
　ことを特徴とするネットワークシステム。」
［相違点１］
　本件発明１では、「前記画面共有サーバは、前記オペレータ端末との間で非同期型双方向通信である
第１
第２
［相違点２］
　一覧情報の「提示部」が、本件発明１では、「
前記第２
利用者が閲覧中のＵＲＬに応じた
［相違点３］
　「文字情報による双方向通信」（チャット）のために、本件発明１では、「前記
第１
第２
（ク）　事例に鑑みて、上記［相違点２］について先に検討すると、甲１発明には、「顧客」（例えば、ウェブサイトを所有する会社）のウェブサイトからダウンロードされたJavaScriptに含まれる、
顧客のグループＩＤに応じて
知識・経験などに応じて
前記第２
利用者が閲覧中のＵＲＬに応じた
　上記甲第２号証には、上記３「（２）　甲第２号証」記載のとおり、着信に使用する電話番号を、識別のために互いに異ならせることは記載があるが、「
前記第２
利用者が閲覧中のＵＲＬに応じた
　したがって、甲１発明において、「提示部」を「前記第２セッションを張っている前記利用者端末の一覧情報を利用者が閲覧中のＵＲＬに応じた前記オペレータ端末に対して提示する」ようにすることが、容易であるとはいうことはできない。
　そして、本件発明１は、当該構成を備えることによって、専門のオペレータに対して利用者を目的に応じて割り振ることができるので、対応品質と対応効率を向上させることができるという顕著な効果を奏するものであるから、上記［相違点１］、［相違点３］について検討するまでもなく、本件発明１は、甲１発明及び甲第２号証に記載の技術事項に基づいて、当業者が容易に発明をすることができたものではない。
イ　本件発明２−８について
　本件発明２、７、８は、本件発明１と同じ「
前記第２
利用者が閲覧中のＵＲＬに応じた
（２）　取消理由通知において採用しなかった特許異議申立理由（特許法第２９条第１項第３号）について
　特許異議申立人高橋陽子は、特許異議申立書において、訂正前の特許請求の範囲の請求項１−４、７−８に係る発明は、甲第１号証に記載された発明であるから、特許法第２９条第１項第３号の規定により特許を受けることができない旨主張している。
　しかし、上記（１）記載のとおり、甲第１号証には、「
前記第２
利用者が閲覧中のＵＲＬに応じた
第４　むすび
　以上のとおりであるから、特許異議申立ての理由及び取消理由通知に記載した取消理由によっては、本件請求項１−８に係る特許を取り消すことはできない。　
　また、他に請求項１−８に係る特許を取り消すべき理由を発見しない。
　よって、結論のとおり決定する。
【異議決定日】
平成２９年１２月２５日（２０１７．１２．２５）
【訂正の要旨】
審決（決定）の【理由】欄参照。
（５７）【特許請求の範囲】
　【請求項１】
　画面共有サーバと、ウェブサーバと、オペレータ端末とを有するネットワークシステムにおいて、
　前記ウェブサーバは、
　ウェブページのコンテンツを利用者端末に表示するためのコンテンツデータであって、前記利用者端末に対して所定の動作を実行させるスクリプトを含むコンテンツデータを格納する格納部を有し、
　前記画面共有サーバは、
　前記オペレータ端末との間で非同期型双方向通信である第１セッションを張るとともに、前記利用者端末が前記ウェブサーバの前記コンテンツデータをダウンロードして前記スクリプトを実行した場合には前記利用者端末との間で非同期型双方向通信である第２セッションを張るセッション管理部と、
　前記第２セッションを張っている前記利用者端末の一覧情報を
利用者が閲覧中のＵＲＬに応じた
　前記オペレータ端末において前記一覧情報を参照して所定の利用者端末を選択する操作がオペレータによってなされた場合には、選択された利用者端末の表示部に表示されている前記コンテンツデータに関する表示画面と同じ表示画面を前記オペレータ端末の表示部に表示するとともに、前記画面共有サーバまたは前記利用者端末との間で非同期型双方向通信である第３セッションを張り、前記利用者端末の表示部に表示される前記コンテンツデータに関する表示画面および前記オペレータ端末の表示部に表示される前記コンテンツデータに関する表示画面のいずれか一方に対する操作に関する情報を、前記第３セッションを介して伝送し、他方の表示画面に反映させることで画面を共有する制御を行う制御部と、を有し、
　前記利用者端末が前記スクリプトを実行した場合には、前記利用者端末の前記表示部に対して文字情報による双方向通信を行うための表示画面が表示され、
　前記制御部は、前記第１および前記第２セッションを用いて、前記文字情報による双方向通信を実行するとともに、前記文字情報による双方向通信中に前記利用者または前記オペレータから画面共有の指示がなされたときは、前記利用者端末の前記表示部に表示される前記コンテンツデータに関する表示画面および前記オペレータ端末の前記表示部に表示される前記コンテンツデータに関する表示画面のいずれか一方に対する操作に関する情報を前記第３セッションを介して伝送し、他方の表示画面に反映させることで画面を共有する制御を行う、
　ことを特徴とするネットワークシステム。
　【請求項２】
　画面共有サーバと、ウェブサーバと、オペレータ端末とを有するネットワークシステムにおいて、
　前記ウェブサーバは、
　ウェブページのコンテンツを利用者端末に表示するためのコンテンツデータであって、前記利用者端末に対して所定の動作を実行させるスクリプトを含むコンテンツデータを格納する格納部を有し、
　前記画面共有サーバは、
　前記オペレータ端末との間で非同期型双方向通信である第１セッションを張るとともに、前記利用者端末が前記ウェブサーバの前記コンテンツデータをダウンロードして前記スクリプトを実行した場合には前記利用者端末との間で非同期型双方向通信である第２セッションを張るセッション管理部と、
　前記第２セッションを張っている前記利用者端末の一覧情報を
利用者が閲覧中のＵＲＬに応じた
　前記オペレータ端末において前記一覧情報を参照して所定の利用者端末を選択する操作がオペレータによってなされた場合には、選択された利用者端末の表示部に表示されている前記コンテンツデータに関する表示画面と同じ表示画面を前記オペレータ端末の表示部に表示するとともに、前記画面共有サーバまたは前記利用者端末との間で非同期型双方向通信である第３セッションを張り、前記利用者端末の表示部に表示される前記コンテンツデータに関する表示画面および前記オペレータ端末の表示部に表示される前記コンテンツデータに関する表示画面のいずれか一方に対する操作に関する情報を、前記第３セッションを介して伝送し、他方の表示画面に反映させることで画面を共有する制御を行う制御部と、を有し、
　前記利用者端末が前記スクリプトを実行した場合には、前記画面共有サーバは、当該利用者端末を識別するための識別情報を付与して利用者端末の前記表示部に対して当該識別情報を表示するとともに、前記オペレータ端末の前記表示部に対して当該識別情報を前記一覧情報に対応付けして表示させ、
　前記制御部は、所定の利用者から前記識別情報の通知を受け、前記一覧情報の前記識別情報を参照して対象となる利用者端末を選択する操作が前記オペレータによってなされた場合には、前記利用者端末の表示部に表示される前記コンテンツデータに関する表示画面および前記オペレータ端末の表示部に表示される前記コンテンツデータに関する表示画面のいずれか一方に対する操作を前記第３セッションを介して伝送し、他方の表示画面に反映させることで画面共有する制御を行う、
　ことを特徴とするネットワークシステム。
　【請求項３】
　前記識別情報は、７桁以下の数字もしくはアルファベットまたはこれらの組み合わせによって構成されることを特徴とする請求項２に記載のネットワークシステム。
　【請求項４】
　前記コンテンツデータは、前記オペレータが操作する電話機の電話番号を含むことを特徴とする請求項２または３に記載のネットワークシステム。
　【請求項５】
　前記電話番号として、前記識別情報毎に異なる番号が割り当てられることを特徴とする請求項４に記載のネットワークシステム。
　【請求項６】
　複数の前記オペレータ端末を有し、
　前記制御部は、一の前記オペレータ端末と前記利用者端末の間で、前記文字情報による双方向通信が実行された場合、または、画面共有する制御が実行された場合には、他の前記オペレータ端末に表示される一覧情報に対して、その旨を示す情報が表示される、
　ことを特徴とする請求項１乃至５のいずれか１項に記載のネットワークシステム。
　【請求項７】
　画面共有サーバと、ウェブページのコンテンツを利用者端末に表示するためのコンテンツデータであって、前記利用者端末に対して所定の動作を実行させるスクリプトを含むコンテンツデータを格納する格納部を有するウェブサーバと、オペレータ端末とを有するネットワークシステムの前記画面共有サーバにおいて、
　前記オペレータ端末との間で非同期型双方向通信である第１セッションを張るとともに、前記利用者端末が前記ウェブサーバの前記コンテンツデータをダウンロードして前記スクリプトを実行した場合には前記利用者端末との間で非同期型双方向通信である第２セッションを張るセッション管理部と、
　前記第２セッションを張っている前記利用者端末の一覧情報を
利用者が閲覧中のＵＲＬに応じた
　前記オペレータ端末において前記一覧情報を参照して所定の利用者端末を選択する操作がオペレータによってなされた場合には、選択された利用者端末の表示部に表示されている前記コンテンツデータに関する表示画面と同じ表示画面を前記オペレータ端末の表示部に表示するとともに、前記画面共有サーバまたは前記利用者端末との間で非同期型双方向通信である第３セッションを張り、前記利用者端末の表示部に表示される前記コンテンツデータに関する表示画面および前記オペレータ端末の表示部に表示される前記コンテンツデータに関する表示画面のいずれか一方に対する操作に関する情報を、前記第３セッションを介して伝送し、他方の表示画面に反映させることで画面を共有する制御を行う制御部と、を有し、
　前記利用者端末が前記スクリプトを実行した場合には、前記利用者端末の前記表示部に対して文字情報による双方向通信を行うための表示画面が表示され、
　前記制御部は、前記第１および前記第２セッションを用いて、前記文字情報による双方向通信を実行するとともに、前記文字情報による双方向通信中に前記利用者または前記オペレータから画面共有の指示がなされたときは、前記利用者端末の前記表示部に表示される前記コンテンツデータに関する表示画面および前記オペレータ端末の前記表示部に表示される前記コンテンツデータに関する表示画面のいずれか一方に対する操作に関する情報を前記第３セッションを介して伝送し、他方の表示画面に反映させることで画面を共有する制御を行う、
　ことを特徴とする画面共有サーバ。
　【請求項８】
　画面共有サーバと、ウェブページのコンテンツを利用者端末に表示するためのコンテンツデータであって、前記利用者端末に対して所定の動作を実行させるスクリプトを含むコンテンツデータを格納する格納部を有するウェブサーバと、オペレータ端末とを有するネットワークシステムの前記画面共有サーバにおいて、
　前記オペレータ端末との間で非同期型双方向通信である第１セッションを張るとともに、前記利用者端末が前記ウェブサーバの前記コンテンツデータをダウンロードして前記スクリプトを実行した場合には前記利用者端末との間で非同期型双方向通信である第２セッションを張るセッション管理部と、
　前記第２セッションを張っている前記利用者端末の一覧情報を
利用者が閲覧中のＵＲＬに応じた
　前記オペレータ端末において前記一覧情報を参照して所定の利用者端末を選択する操作がオペレータによってなされた場合には、選択された利用者端末の表示部に表示されている前記コンテンツデータに関する表示画面と同じ表示画面を前記オペレータ端末の表示部に表示するとともに、前記画面共有サーバまたは前記利用者端末との間で非同期型双方向通信である第３セッションを張り、前記利用者端末の表示部に表示される前記コンテンツデータに関する表示画面および前記オペレータ端末の表示部に表示される前記コンテンツデータに関する表示画面のいずれか一方に対する操作に関する情報を、前記第３セッションを介して伝送し、他方の表示画面に反映させることで画面を共有する制御を行う制御部と、を有し、
　前記利用者端末が前記スクリプトを実行した場合には、前記画面共有サーバは、当該利用者端末を識別するための識別情報を付与して利用者端末の前記表示部に対して当該識別情報を表示するとともに、前記オペレータ端末の前記表示部に対して当該識別情報を前記一覧情報に対応付けして表示させ、
　前記制御部は、所定の利用者から前記識別情報の通知を受け、前記一覧情報の前記識別情報を参照して対象となる利用者端末を選択する操作が前記オペレータによってなされた場合には、前記利用者端末の表示部に表示される前記コンテンツデータに関する表示画面および前記オペレータ端末の表示部に表示される前記コンテンツデータに関する表示画面のいずれか一方に対する操作を前記第３セッションを介して伝送し、他方の表示画面に反映させることで画面共有する制御を行う、
　ことを特徴とする画面共有サーバ。